【手続補正書】
【提出日】令和3年11月17日(2021.11.17)
【手続補正１】
【補正対象書類名】特許請求の範囲
【補正対象項目名】全文
【補正方法】変更
【補正の内容】
【特許請求の範囲】
【請求項１】
車両マクロクラウド内の第１の車両マイクロクラウドにおける第１の制御プレーン（ＣＰ）ノードが実行する方法であって、
制御プレーンを使用してデータ要求を分析し、人気データコンテンツを提供するターゲットコンテンツプロバイダである、前記車両マクロクラウド内の第２の車両マイクロクラウドにおける第２のＣＰノードを選択することであって、前記人気データコンテンツは、前記人気データコンテンツに対するリクエスト数が閾値を超えた場合に人気があると定義されることと、
前記第１のＣＰノードにより処理されたデータ要求に関するデータ送達の待ち時間またはデータパケット損失の１つ以上を含む低減を達成するため、第１のＣＰノードの通信ユニットが、前記第１のＣＰノードに前記人気データコンテンツをプリフェッチして格納するように、フィードバックデータに基づいて前記第１のＣＰノードの前記通信ユニットの動作を変更することと、
利用可能なデータストレージリソースの量が、あらかじめ定められた期間内に、あらかじめ定められた閾値を下回るという予測を生成することと、
前記予測の生成に応答して、前記第１の車両マイクロクラウドのデータを、前記車両マクロクラウド内の別の車両マイクロクラウドに複製することと、
を含む、方法。
【請求項２】
前記データ要求の処理結果を示す結果データ、または、前記制御プレーンに関連するＣＰデータのうちの１つ以上を含む前記フィードバックデータを生成することと、
前記フィードバックデータを分析して、１つ以上のタイプの人気データコンテンツを特定することと、をさらに含み、
前記第１のＣＰノードの通信ユニットが、前記１つ以上のタイプの人気データコンテンツをプリフェッチして記憶する、
請求項１に記載の方法。
【請求項３】
前記第１のＣＰノードにより処理される前記データ要求は、前記人気データコンテンツを再要求するものであり、
前記第１のＣＰノードの前記通信ユニットの動作を変更することは、
前記データ要求に関する前記データ送達の待ち時間または前記データパケット損失のうちの１つ以上について前記低減を達成させるため、前記フィードバックデータに基づいて前記第１のＣＰノードに前記人気データコンテンツをキャッシュすることを含む、
請求項１に記載の方法。
【請求項４】
データプレーンを利用して前記データ要求を処理することと、
前記データ要求の処理結果を示す結果データ、または、前記制御プレーンに関連するＣＰデータのうちの１つ以上を含む前記フィードバックデータを生成することと、
少なくとも、前記第２の車両マイクロクラウド内の前記第２のＣＰノードと協働して、前記車両マクロクラウドの前記制御プレーンおよび前記データプレーンを確立することと、を更に含み、
前記制御プレーンは、分散制御プレーンであり、少なくとも、前記第１の車両マイクロクラウド内の前記第１のＣＰノードおよび前記第２の車両マイクロクラウド内の前記第２のＣＰノードを含む、
請求項１に記載の方法。
【請求項５】
前記制御プレーンは、前記車両マクロクラウド内の車両マイクロクラウドおよび前記車両マイクロクラウド内のメンバ車両間の分散Vehicle-to-Everything（Ｖ２Ｘ）通信の制御タイプの処理に使用され、
データプレーンが、前記車両マクロクラウドの前記車両マイクロクラウドおよび前記車両マイクロクラウドの前記メンバ車両の間のデータ送達タイプの分散Ｖ２Ｘ通信を処理することで前記データ要求を処理する、
請求項１に記載の方法。
【請求項６】
前記第１の車両マイクロクラウドのステータスを記述する第１のステータスデータを生成することと、
前記制御プレーンを適用して、前記車両マクロクラウドにおいてステータスデータ交換を実行することであって、
前記第１のステータスデータを前記第２の車両マイクロクラウド内の前記第２のＣＰノードに送信すること、および、
前記第２の車両マイクロクラウド内の前記第２のＣＰノードから前記第２の車両マイクロクラウドのステータスを記述する第２のステータスデータを受信するステップを含むことと、を更に含む、
請求項１に記載の方法。
【請求項７】
前記第１のステータスデータは、
前記第１の車両マイクロクラウドの地理的ロケーション、前記第１の車両マイクロクラウドにより記憶されたデータファイルのリストを記述するコンテンツリストおよび各データファイルにより記述された情報、前記第１の車両マイクロクラウドで利用可能な１つ以上の計算リソース、前記第１の車両マイクロクラウドが満たす必要があるデータ送達に対する１つ以上の要求、前記第１の車両マイクロクラウドが満たす必要があるデータ複製に対する１つ以上の要求、または、前記第１の車両マイクロクラウドが満たす必要があるデータ回復に対する１つ以上の要求、のうちの１つ以上を記述するデータを含む、
請求項６に記載の方法。
【請求項８】
前記車両マクロクラウドにおいて実行された前記ステータスデータ交換に基づいて、前記データ送達の待ち時間を記述する待ち時間データおよびパケット送達比率を記述するパケットデータを含むネットワークデータを測定することと、
前記第１の車両マイクロクラウドの前記第１のステータスデータ、前記第２の車両マイクロクラウドの前記第２のステータスデータを含むステータスデータ構造、または、前記待ち時間データおよび前記パケットデータを含む前記ネットワークデータのうちの１つ以上を含む前記第１の車両マイクロクラウドのリソースデータを生成することと、を更に含む、
請求項６に記載の方法。
【請求項９】
前記制御プレーンを使用して前記データ要求を分析して、前記ターゲットコンテンツプロバイダを選択することは、
前記第１の車両マイクロクラウドのステータスを記述する第１のステータスデータからコンテンツリストを検索して、前記データ要求により要求された前記人気データコンテンツが前記第１の車両マイクロクラウドにより記憶されているか否かを判断することと、
前記データ要求により要求された前記人気データコンテンツが前記第１の車両マイクロクラウドにより記憶されていないことに応答して、前記第１の車両マイクロクラウドのリソースデータを分析して、前記ターゲットコンテンツプロバイダが前記第２の車両マイクロクラウド内の前記第２のＣＰノードであると判断することと、を含む、
請求項１に記載の方法。
【請求項１０】
前記ターゲットコンテンツプロバイダは、前記第２のＣＰノードが前記第２の車両マイクロクラウドの記憶装置に前記人気データコンテンツを記憶していること、前記第２のＣＰノードが、前記車両マクロクラウド内の１つ以上の他の車両マイクロクラウドの１つ以上の他のＣＰノードと比較して、前記第１のＣＰノードへの最小距離を有すること、前記第２のＣＰノードが、前記１つ以上の他のＣＰノードと比較して前記第１のＣＰノードへの最小待ち時間を有すること、または、前記第２のＣＰノードが、前記１つ以上の他のＣＰノードと比較して、前記第１のＣＰノードへの最高パケット送達比率を有すること、のうちの１つ以上を満たす、前記第２の車両マイクロクラウド内の前記第２のＣＰノードである、
請求項９に記載の方法。
【請求項１１】
前記制御プレーンによる判断に基づいて、データプレーンが前記データ要求を処理する、
請求項１に記載の方法。
【請求項１２】
前記データ要求は、Vehicle-to-Everything（Ｖ２Ｘ）ネットワークを介して、制御メッセージとして前記制御プレーンを経由して前記ターゲットコンテンツプロバイダに転送され、
前記データプレーンは、
前記データプレーンを使用して、前記Ｖ２Ｘネットワークを介して前記ターゲットコンテンツプロバイダから前記人気データコンテンツを受信することと、
前記データプレーンを使用して、前記Ｖ２Ｘネットワークを介して前記ターゲットコンテンツプロバイダから受信した前記人気データコンテンツを、前記データ要求を送信した要求者に転送することと、
によって、前記制御プレーンによる判断に基づいて前記データ要求を処理する、
請求項１１に記載の方法。
【請求項１３】
前記別の車両マイクロクラウドは、前記第１の車両マイクロクラウドから前記別の車両マイクロクラウドまでの距離に基づいて、前記データを複製するよう指示される、
請求項１に記載の方法。
【請求項１４】
１組のデータコンテンツが前記第１の車両マイクロクラウドにおいて失われたと判断することと、
前記車両マクロクラウド内の前記別の車両マイクロクラウドから前記１組のデータコンテンツを取得して、前記第１の車両マイクロクラウドにおいて前記１組のデータコンテンツを回復させることと、を更に含む、
請求項１に記載の方法。
【請求項１５】
前記第１の車両マイクロクラウドの前記第１のＣＰノードは、前記第１の車両マイクロクラウド内の車両、または、協働して前記第１のＣＰノードの機能を提供する前記第１の車両マイクロクラウド内の複数の車両を含む、
請求項１に記載の方法。
【請求項１６】
車両マクロクラウド内の第１の車両マイクロクラウドにおける第１の制御プレーン（ＣＰ）ノードとして機能するコネクティッド車両の車載コンピュータシステムを含むシステムであって、前記車載コンピュータシステムは、
通信ユニットと、
プロセッサと、
前記プロセッサによって実行された場合に、
制御プレーンを使用してデータ要求を分析し、人気データコンテンツを提供するターゲットコンテンツプロバイダである、前記車両マクロクラウド内の第２の車両マイクロクラウドにおける第２のＣＰノードを選択することであって、前記人気データコンテンツは、前記人気データコンテンツに対するリクエスト数が閾値を超えた場合に人気があると定義されることと、
前記第１のＣＰノードにより処理されたデータ要求に関するデータ送達の待ち時間またはデータパケット損失の１つ以上を含む低減を達成するため、第１のＣＰノードの通信ユニットが、前記第１のＣＰノードに前記人気データコンテンツをプリフェッチして格納するように、フィードバックデータに基づいて前記第１のＣＰノードの前記通信ユニットの動作を変更することと、
利用可能なデータストレージリソースの量が、あらかじめ定められた期間内に、あらかじめ定められた閾値を下回るという予測を生成することと、
前記予測の生成に応答して、前記第１の車両マイクロクラウドのデータを、前記車両マクロクラウド内の別の車両マイクロクラウドに複製することと、
を前記プロセッサに実行させるコンピュータコードを記憶する非一時的メモリと、を含むシステム。
【請求項１７】
車両マクロクラウド内の第１の車両マイクロクラウドにおける第１の制御プレーン（ＣＰ）ノードが有するプロセッサによって実行された場合に、
制御プレーンを使用してデータ要求を分析し、人気データコンテンツを提供するターゲットコンテンツプロバイダである、前記車両マクロクラウド内の第２の車両マイクロクラウドにおける第２のＣＰノードを選択することであって、前記人気データコンテンツは、前記人気データコンテンツに対するリクエスト数が閾値を超えた場合に人気があると定義されることと、
前記第１のＣＰノードにより処理されたデータ要求に関するデータ送達の待ち時間またはデータパケット損失の１つ以上を含む低減を達成するため、第１のＣＰノードの通信ユニットが、前記第１のＣＰノードに前記人気データコンテンツをプリフェッチして格納するように、フィードバックデータに基づいて前記第１のＣＰノードの前記通信ユニットの動作を変更することと、
利用可能なデータストレージリソースの量が、あらかじめ定められた期間内に、あらかじめ定められた閾値を下回るという予測を生成することと、
前記予測の生成に応答して、前記第１の車両マイクロクラウドのデータを、前記車両マクロクラウド内の別の車両マイクロクラウドに複製することと、
を前記プロセッサに実行させるためのプログラム。